【事件の表示】
　平成　８年特許願第　６５０９２号「硬貨搬送装置」拒絶査定に対する審判事件［平成　８年１１月　５日出願公開、特開平　８−２９３０５１］について、次のとおり審決する。
【結　論】
　本件審判の請求は、成り立たない。
【理　由】
１．手続の経緯
　本願は、特許法第４１条に基づく優先権主張を伴う平成８年２月１４日（優先日：平成７年２月２３日、出願番号：特願平７−７４３７４号）の出願であって、平成１３年７月１７日付で拒絶査定がなされ、これに対し、同年８月１日に拒絶査定に対する審判請求がなされるとともに、同日付で手続補正がなされたものである。
　
２．平成１３年８月１日付の手続補正についての補正却下の決定
［補正却下の決定の結論］
　平成１３年８月１日付の手続補正を却下する。
［理由］
２−１．補正後の本願発明
　本件補正は、特許請求の範囲の記載の請求項１を、
　「複数個の硬貨を平らに一個ずつ一列に並べて、これらの硬貨を下から上に押し出して搬送するための硬貨搬送装置において少なくとも、
　この硬貨搬送装置の硬貨通路（３）上部に連通されていて、下から上に搬送されて来る平らな硬貨を、右サイドに放出するための第１の硬貨出口（１０）と、
　前記硬貨搬送装置の硬貨通路（３）上部に連通されていて、下から上に搬送されて来る平らな硬貨を、左サイドに放出するための第２の硬貨出口（１１）と、
　この第２硬貨出口と前記第１硬貨出口との間に配設されていて、下から上に搬送されて来る平らな硬貨を、前記第１硬貨出口か前記第２硬貨出口かの何れかにガイドするための移動可能な一個の硬貨案内手段（１３）と、
を備えていることを特徴とした硬貨搬送装置。」
と補正することを含むものである。
　この部分の補正は、請求項１に記載した発明を特定するために必要な事項である「硬貨搬送装置」について、「複数個の硬貨を平らに一個ずつ一列に並べて、これらの硬貨を下から上に押し出して搬送する」との限定を付し、同じく「第１硬貨出口か第２硬貨出口かの何れかにガイドするための出口切替手段」について、「下から上に搬送されて来る平らな硬貨を、第１硬貨出口か第２硬貨出口かの何れかにガイドするための移動可能な一個の硬貨案内手段」との限定を付するものであって特許法第１７条の２第４項第２号の特許請求の範囲の減縮を目的とするものである。
　そこで、本件補正後の前記請求項１に記載された発明（以下、「本願補正発明」という）が特許出願の際独立して特許を受けることができるものであるか（特許法１７条の２第５項において準用する同法第１２６条第４項の規定に適合するか）について以下に検討する。
　
２−２．引用例
２−２−１．特開平５−７３７４９号公報
　原査定の拒絶の理由に引用された特開平５−７３７４９号公報（以下、「引用例１」という）には、図面とともに、以下のようなことが記載されている。
　「【産業上の利用分野】　本発明はスロットルマシン等の各種ゲーム機、自動販売機、両替機などのように、コインその他のメダルをメダル投出口から外部に投出するメダル投出機に関するものである。」（段落番号【０００１】）、
　「【実施例】
　本発明の実施例を図面に基づいて説明する。図１および図２は本発明の一実施例によるメダル投出機全体を示し、このメダル投出機は、メダル送出装置１と、このメダル送出装置１上に立設されたメダルリフタ２とを備え、また当実施例では、上記メダル送出装置１とメダルリフタ２との間にメダル押し上げ装置３が設けられている。さらに、上記メダル送出装置１およびメダル押し上げ装置３を駆動するモータ４および駆動力伝達機構、上記メダル送出装置１の前方に位置して多数枚のメダルＭを蓄えるホッパ５等がメダル投出機に具備されている。上記メダルリフタ２の上端部には、メダル投出口７が設けられている。
　上記メダル送出装置１は、ホッパ５から供給されるメダルＭを１枚ずつ送り出すものであって、当実施例では、図３にも示すように、傾斜配置されて台枠６に保持された基盤１０と、この基盤１０の前方に位置する環状の回転部材１１とを備えており、上記ホッパ５の下部のメダル供給口５ａから送り出されたメダルＭが上記回転部材１１の内方の空間を通って基盤１０の表面側に投入されるようになっている。上記基盤１０の表面側には、外周部の一定範囲に段状に突出したガイド壁１２が設けられ、その内周側にメダルの移動通路となるメダル支持面１３が形成されている。基盤１０のメダル支持面１３より内側の部分には、モータ４により駆動されて所定方向に回転するメダル撹拌用円盤１４が取り付けられている。このメダル撹拌用円盤１４は、ホッパ５から送り出されたメダルＭを撹拌してメダル詰まりを防止するものである。」（段落番号【００１０】〜【００１１】）、
　「一方、メダルリフタ２は、上記メダル送出装置１の基盤１０の上端部から斜め上方へ向けて立設された縦長板状の部材で形成され、その両側縁部のガイド壁２１，２２の間に一定幅の凹状のメダル通路２０を有している。このメダル通路２０はメダルリフタ２の上端付近まで直線状に延び、上端付近で側方に屈曲してメダル投出口７に達するようになっている。メダル投出口７付近には、メダル投出口７からメダルＭの投出を助勢するエジェクタ機構が具備されており、これについては後に詳述する。メダルリフタ２の下部には、メダル通路２０内の硬貨の逆戻り（降下）を阻止するためのワンウェイクラッチ等を内蔵したストップローラ２３が取り付けられている。」（段落番号【００１３】）。
　これらの記載によれば、引用例１には以下のような発明が記載されている。
　「複数個のメダルを平らに一個ずつ一列に並べて、これらのメダルを下から上に押し出して搬送するメダルリフタにおいて、メダルリフタのメダル通路上部に連通されていて、下から上に搬送されて来る平らなメダルを投出するメダル投出口とを備えたメダルリフタ。」
２−２−２．実願平５−３４０８号（実開平６−５９９５４号）のＣＤ−ＲＯＭ
　同じく、原査定の拒絶の理由に引用された実願平５−３４０８号（実開平６−５９９５４号）のＣＤ−ＲＯＭ（以下、「引用例２」という）には、図面とともに、以下のようなことが記載されている。
　「【課題を解決するための手段】　このために本考案は、挿入された紙幣を識別して識別信号を発生すると共に該紙幣を収納する紙幣識別収納体と、複数の硬貨を貯蔵し上記識別信号に対応した数の硬貨を放出するホッパと、該ホッパから放出される硬貨を前面の硬貨取出皿に案内する硬貨放出用通路とを具備する両替機において、上記硬貨を背面に案内して排出する硬貨回収用通路と、上記ホッパから放出される硬貨の通路を上記硬貨放出用通路と上記硬貨回収用通路のいずれかに切り替える通路切替機構とを設け、硬貨回収信号により上記通路切替機構が上記硬貨放出用通路から上記硬貨回収用通路に通路を切り替え、且つ上記ホッパが連続掻出駆動して硬貨を放出するように構成した。」（段落番号【０００５】）、
　「図７と図８は通路切替機構の別の実施例を示す図である。２１はホッパ１１の放出口の下方に臨む硬貨落下通路であり、この硬貨落下通路２１の下部において硬貨放出用通路２２と硬貨回収用通路２３が分岐して連続している。そして、この分岐部分には通路壁面に形成されたガイド穴２４内に移動可能にガイドピン２５が挿入されている。つまり、このガイドピン２５は硬貨放出用通路２２と硬貨回収用通路２３の一方の通路を塞ぐと共に、他方の通路に対して硬貨をガイドする作用を行っている。
　このガイドピン２５は、レバー２６の先端に固定されており、このレバー２６は通路外壁に固定された枢支ピン２７に枢支されている。また、このレバー２６は、その下端に固定されたピン２８がスプリング２９で引っ張られることにより、常時は図７に示すの状態と反対方向への回動力を付与されている。３０はソレノイドであって、そのピストン３１に枢支されたレバー３２の先端の曲折片が前記レバー２６に固定されたピン３３に当接しており、このソレノイド３０を駆動することにより、レバー３２が固定ピン３４を支点に回動してバレー２６を図７の状態に回動させる。
　この実施例の通路切替機構では、回収信号を受信してソレノイド３０が駆動されているとき（硬貨回収時）は、ガイドピン２５がガイド穴２４の図７、図８に示す位置（硬貨放出用通路２２を閉じる位置）にあり、硬貨取入通路２１から落下してきた硬貨Ｅを硬貨回収用通路２３にガイドする。
　一方、そのソレノイド３０が駆動されていなとき（硬貨放出時）は、そのガイドピン２５がスプリング２９に付勢されて反対側（硬貨回収用通路２３を閉じる位置）に切り替わっており、硬貨取入通路２１から落下してきた硬貨Ｅを硬貨放出用通路２２にガイドする。なお、ガイドピン２５が図７、図８に示す位置に切り替わっているとき、これを検出するマイクロスイッチが取り付けられるが、図示は省略している。」（段落番号【００１８】〜【００２１】）。
　
２−３．対比
　引用例１に記載の発明の「メダル」は、引用例１に「コインその他のメダル」と記載されていることからしてコイン、即ち硬貨も含むものであり、引用例１に記載の発明の「メダルリフタ」は、複数個のメダルを平らに一個ずつ一列に並べて、これらのメダルを下から上に押し出して搬送するものであるから、本願補正発明の「硬貨搬送装置」に相当し、引用例１に記載の発明の「メダル通路」は、本願補正発明の「硬貨通路」に相当し、また、引用例１に記載の発明も本願補正発明も、硬貨搬送装置の硬貨通路の上部において搬送されてくる硬貨を放出する放出口を有しているものであり、そうすると、本願補正発明と引用例１に記載の発明とは、
　「複数個の硬貨を平らに一個ずつ一列に並べて、これらの硬貨を下から上に押し出して搬送するための硬貨搬送装置において少なくとも、この硬貨搬送装置の硬貨通路上部に連通されていて、下から上に搬送されて来る平らな硬貨を放出する放出口と、を備えている硬貨搬送装置。」
で一致し、下記の点で相違する。
　本願補正発明が、放出口として、第１の硬貨出口と第２の硬貨出口を有し、第１硬貨出口と第２硬貨出口との間に配設されていて、下から上に搬送されて来る平らな硬貨を、第１硬貨出口か第２硬貨出口かの何れかにガイドするための移動可能な一個の硬貨案内手段を備えているのに対し、引用例１に記載の発明は、放出口として、一つのメダル投出口を有しているだけであり、硬貨案内手段を備えていない点。
　
２−４．判断
　本願補正発明と硬貨の搬送で共通する技術分野をもった引用例２には、ホッパから放出される硬貨を硬貨放出用通路と硬貨硬貨回収用通路とを具備する両替機において、ホッパから放出される硬貨の通路を上記硬貨放出用通路と上記硬貨回収用通路のいずれかに切り替える通路切替機構とを設けることが、そしてその際に、「分岐部分には通路壁面に形成されたガイド穴２４内に移動可能にガイドピン２５が挿入されている。つまり、このガイドピン２５は硬貨放出用通路２２と硬貨回収用通路２３の一方の通路を塞ぐと共に、他方の通路に対して硬貨をガイドす」る事項（本願補正発明の「第１硬貨出口か前記第２硬貨出口かの何れかにガイドするための移動可能な一個の硬貨案内手段」に相当）が記載されており、硬貨搬送装置において、硬貨の放出口を反対方向に二つ設け、切り換えて使用する場合に、引用例２に記載された事項を引用例１に記載の発明に適用して、本願補正発明のように構成することは、当業者が容易になし得ることと認められる。
　
　したがって、本願補正発明は、引用例１に記載の発明及び引用例２に記載の事項に基づいて、当業者が容易に発明をすることができたものであるから、特許法第２９条第２項の規定により特許出願の際独立して特許を受けることができないものである。
　
２−５．むすび
　以上のとおり、本件補正は、特許法第１７条の２第５項で準用する同法第１２６条第４項の規定に違反するものであり、特許法第１５９条第１項で準用する特許法第５３条第１項の規定により却下されるべきものである。
　
３．本願発明について
３−１．本願発明
　平成１３年８月１日付の手続補正は上記のとおり却下されたので、本願の請求項１に係る発明は、平成１３年２月１日に受け付けられた手続補正書の特許請求の範囲の請求項１に記載された事項により特定される、以下のとおりのものである（以下、「本願発明」という）。
　「硬貨の入口（８）を有すると共に、この硬貨入口から離れている第１の硬貨出口（１０）を有して、硬貨を連続的に搬送するための硬貨通路（３）と、
　この硬貨通路に連通されていて前記第１硬貨出口の近くに配置されている第２の硬貨出口（１１）と、
　この第２硬貨出口と前記第１硬貨出口との間に配設されていて、前記硬貨を前記第１硬貨出口（１０）か前記第２硬貨出口（１１）かの何れかにガイドするための出口切替手段（１２）と、
を備えていることを特徴とした硬貨搬送装置。」
　
３−１．引用例
　原査定の拒絶の理由に引用された引用例、および、その記載事項は、上記「２−２．」に記載したとおりである。
　
３−２．対比・判断
　本願発明は、上記「２．」で検討した本願補正発明から、「硬貨搬送装置」の限定事項である「複数個の硬貨を平らに一個ずつ一列に並べて、これらの硬貨を下から上に押し出して搬送する」との事項を省き、「第１硬貨出口か第２硬貨出口かの何れかにガイドするための出口切替手段」の限定事項である「下から上に搬送されて来る平らな硬貨を、第１硬貨出口か第２硬貨出口かの何れかにガイドするための移動可能な一個の硬貨案内手段」との事項を省いたものである。
　そうすると、本願発明の構成要件を全て含み、さらに他の構成要件を付加したものに相当する本願補正発明が、上記「２−２−３．」及び「２−２−４．」に記載したとおり引用例１及び引用例２に基づいて、当業者が容易に発明をすることができたものであるから、本願発明も、同様の理由により、引用例１及び引用例２に基づいて、当業者が容易に発明をすることができたものである。
　
３−４．むすび
　以上のとおり、本願発明は、引用例に記載された発明及び周知事項に基づいて、当業者が容易に発明をすることができたものであるから、特許法第２９条第２項の規定により特許を受けることができない。
　よって、結論のとおり審決する。